(57)【要約】【課題】本発明は、少ない空間を占める遠心ファンを備える電子装置を提供することを目的とする。【解決手段】ベースと、前記ベースに設けられ且つ前記ベースと殻体を構成する蓋体と、前記殻体内に配置され、且つスリーブと、前記スリーブ内に設けられる軸受けと、前記スリーブの外周に固定されるステーターと、前記軸受けに回動可能に樞着されるローターとを含む遠心ファンと、を備える電子装置において、前記ベースには、前記遠心ファンを囲む側壁が設けられ、前記スリーブと前記ベースを直接に固定するで、前記遠心ファンを前記ベースに固定する。【選択図】図１
2011127589.tif 000002
【特許請求の範囲】
【請求項１】
ベースと、
前記ベースに設けられ且つ前記ベースと共に殻体を構成する蓋体と、
前記殻体内に配置され、且つスリーブと、前記スリーブ内に設けられる軸受けと、前記スリーブの外周に固定されるステーターと、前記軸受けに回動可能に樞着されるローターと、を含む遠心ファンと、
を備える電子装置において、
前記ベースには、前記遠心ファンを囲む側壁が設けられ、前記スリーブと前記ベースとを直接に固定することで、前記遠心ファンを前記ベースに固定することを特徴とする遠心ファンを備える電子装置。
【請求項２】
前記スリーブは、板体と、前記板体の周縁から前記板体に垂直な方向へ延伸する環状壁と、を含み、
前記板体には、固定部が設けられ、前記ベースには、前記固定部に対応する位置決め部が設けられ、前記スリーブの固定部と前記ベースの位置決め部とが互いに結合されることを特徴とする請求項１に記載の遠心ファンを備える電子装置。
【請求項３】
前記スリーブの固定部と前記ベースの位置決め部とは、接着剤によって互いに結合されることを特徴とする請求項２に記載の遠心ファンを備える電子装置。
【請求項４】
前記スリーブの固定部には、オーバーフローされる接着剤を収納することができる凹槽が設けられていることを特徴とする請求項２に記載の遠心ファンを備える電子装置。
【請求項５】
前記スリーブの固定部は、凸台であり、前記ベースの位置決め部は、非貫通穴であり、前記凸台は、前記非貫通穴内に収容されることを特徴とする請求項２に記載の遠心ファンを備える電子装置。
【請求項６】
前記側壁は、渦巻き状であり、前記側壁には、前記遠心ファンの吹出口としての開口が開設されていることを特徴とする請求項１に記載の遠心ファンを備える電子装置。
【発明の詳細な説明】
【技術分野】
【０００１】
本発明は、電子装置に関し、特に遠心ファンを備える電子装置に関するものである。
【０００２】
科学技術の進歩及び市場発展の要求に伴って、ノートパソコンのような電子装置が多機能化且つ薄型化の方向へ発展している。ＣＰＵ（中央処理装置）などの電子部品が発生する熱量もますます増加されている。このような発熱電子部品の熱量による電子部品の作動の不安定を防ぐために、通常、前記電子部品上に吸熱板を付着させ、且つヒートパイプを通して前記吸熱板の熱をヒートシンクに伝導させてから、前記ヒートシンクの一側に配置されている遠心ファンを通して熱を外部に発散させる。
【０００３】
従来のノートパソコンの殻体は、ベースと、前記ベース上に設けられる蓋体と、を備える。前記ベースと前記蓋体との間には、集積回路及びＣＰＵなどのような電子部品を収容するための収容空間が形成される。前記ノートパソコンの内部に前記ＣＰＵなどのような発熱電子部品に対して放熱を行う遠心ファンがさらに設けられる。前記遠心ファンは、枠体と、ステーターと、軸受けと、前記枠体内に設けられるインペラと、を備える。前記枠体は、底板と、前記底板の外周縁から上方に向かって延伸された側壁と、カバーと、を備える。前記底板に前記軸受けを収容するためのスリーブが設けられ、前記遠心ファンを前記ノートパソコンに設ける時、前記枠体の底板が一定の厚さを占めるため、ノートパソコンの薄型化の発展に不利である。
【発明の概要】
【発明が解決しようとする課題】
【０００４】
以上の問題点に鑑みて、本発明は、少ない空間を占める遠心ファンを備える電子装置を提供することを目的とする。
【課題を解決するための手段】
【０００５】
ベースと、前記ベースに設けられ且つ前記ベースと殻体を構成する蓋体と、前記殻体内に配置され、且つスリーブと、前記スリーブ内に設けられる軸受けと、前記スリーブの外周に固定されるステーターと、前記軸受けに回動可能に樞着されるローターとを含む遠心ファンと、を備える電子装置において、前記ベースには、前記遠心ファンを囲む側壁が設けられ、前記スリーブと前記ベースを直接に固定することで、前記遠心ファンを前記ベースに固定する。
【発明の効果】
【０００６】
前記電子装置において、前記遠心ファンのスリーブは前記電子装置のベースに直接に固定され、従来の遠心ファンに比べて、底板を省略するので、前記遠心ファンの前記電子装置での占有厚さが薄い。従って、前記電子装置の薄型化へ発展に有利である。
【図面の簡単な説明】
【０００７】
【図１】本発明の第一実施例に係る電子装置の部分的の分解図である。
【図２】図1に示した電子装置の蓋体を除いた後、再度分解を示す斜視図である。
【図３】図２に示した電子装置の遠心ファンのスリーブを倒置した状態の斜視図である。
【図４】図1に示した電子装置の組立断面図である。
【発明を実施するための形態】
【０００８】
以下、図面に基づいて、本発明に係る遠心ファンを備える電子装置について詳細に説明する。
【０００９】
図１は、本発明の第一実施例に係る電子装置１００を示す分解図である。前記電子装置１００は、ベース１０と、蓋体２０と、遠心ファン３０と、を備える。前記電子装置１００は、ノートパソコン、携帯式ＤＶＤプレーヤー、プロジェクターなどである。本実施例において、前記電子装置１００は、ノートパソコンである。前記蓋体２０は、前記ベース１０上に設けられて、前記前記ベース１０と前記電子装置１００との殻体を構成する。前記電子装置１００は、前記殻体に回動可能に樞着されるディスプレイパネル（図示せず）をさらに備える。前記遠心ファン３０、ノートパソコンのＣＰＵボード（図示せず）及びＣＰＵ（図示せず）などの素子は、前記殻体内に配置される。
【００１０】
図２に示したように、前記遠心ファン３０は、スリーブ３１と、前記スリーブ３１内に設けられる軸受け３２と、ステーター３３と、インペラ３４と、回路基板３５と、を備える。
【００１１】
前記スリーブ３１は、金属、高強度プラスチックなどのような硬質素材で製造され、前記軸受け３２を収容する一方前記ステーター３３を支持する。本実施例において、前記スリーブ３１は、銅で製造される。図３及び図４を参照すると、前記スリーブ３１は、中空円筒であり、円形の板体３１１と、前記板体３１１の周縁から前記板体３１１に垂直な方向へ延伸する環状壁３１２と、を含む。前記環状壁３１２と対向する前記板体３１１の端面の中部には、外部に向かって突出する円筒状の固定部３１１１が設けられている。前記固定部３１１１は、凸台である。前記固定部３１１１の外周には、オーバーフローされる接着剤を収納できる同心の２つの環状凹槽３１１２が設けられている。前記環状壁３１２の内部に軸方向に沿う収容孔３１３が設けられている。前記収容孔３１３の一端は開放され、他端は前記板体３１１によって封止されている。前記軸受け３２は、前記スリーブ３１の収容孔３１３の内部に固定される。前記軸受け３２の中心には、軸孔３２１が設けられている。前記ステーター３３は、前記スリーブ３１の環状壁３１２の開放端の外周面を囲んで設けられる。
【００１２】
前記インペラ３４は、ハブ３４１と、前記ハブ３４１の外周面から径方向に向かって放射状に伸び出す複数のブレード３４２と、を含む。前記ハブ３４１の内側には、回転軸３４３が突設されている。
【００１３】
前記回路基板３５は、柔軟性の板体であり、且つ環状部３５１と、前記環状部３５１から延伸されるストリップ部３５２と、を含む。前記回路基板３５は、前記ステーター３３のコイルに電気接続されて、前記ステーター３３のコイルに電流を提供する。
【００１４】
図１及び図２に示したように、前記遠心ファン３０は、前記電子装置１００のベース１０の隅部に配置される。前記ベース１０には、渦巻きの側壁４０が設けられ、前記側壁４０と前記ベース１０との間に前記遠心ファン３０を収容する収容空間が形成される。前記収容空間の一側には前記遠心ファン３０の吹出口とする開口４１が存在する。前記開口４１にヒートシンクが配置される。前記ヒートシンクは、ヒートパイプなどのような熱伝導部材によって前記電子装置１００のＣＰＵなどの電子部品に接続される。前記開口４１の外側の前記ベース１０には複数の通気孔１１が設けられている。
【００１５】
前記側壁４０と前記ベース１０とによる収容空間の中心の前記ベース１０には、前記スリーブ３１の固定部３１１１を収容する非貫通穴である位置決め部１２が設けられている。前記位置決め部１２の周縁には、環状の凸環１５が形成されている。前記ベース１０には、環状の凸環１５の周囲に形成されている環形凹部１４１と、前記環形凹部１４１から延びるストリップ凹部１４２と、を含む収容槽１４が設けられている。前記収容槽１４の形状は、前記回路基板３５の形状に対応する。前記位置決め部１２及び収容槽１４を除外する前記収容空間に対応される前記ベース１０には、外界の空気が流入されるための複数の細長い吸気孔１３が設けられている。
【００１６】
図１及び図４を参照すると、前記遠心ファン３０を組み立てる時、まず、前記ベース１０の凸環１５が前記回路基板３５の環状部３５１に挿入されるように、前記回路基板３５を前記ベース１０の収容槽１４に収容させる。次に、前記スリーブ３１の固定部３１１１を前記ベース１０の位置決め部１２に収容させ、接着方式で前記固定部３１１１と位置決め部１２とを接着させて、前記スリーブ３１を前記ベース１０に固定させる。次に、前記ステーター３３を前記スリーブ３１の環状壁３１２に固定させ、前記軸受け３２を前記スリーブ３１の収容孔３１３内に固定させ、前記インペラ３４の回転軸３４３を前記軸受け３２の軸孔３２１内に回動可能に樞着させる。
【００１７】
前記組み立てる過程において、前記スリーブ３１の固定部３１１１を前記ベース１０の位置決め部１２に接着させる方法は、接着剤を前記ベース１０の位置決め部１２内に滴入し、前記スリーブ３１の固定部３１１１の表面に催化剤を塗布してから、前記スリーブ３１の固定部３１１１を前記ベース１０の位置決め部内に押入し、前記接着剤は前記催化剤の催化作用下で前記スリーブ３１の固定部３１１１を前記ベース１０の位置決め部１２に迅速に接着される。前記押入過程において、前記接着剤が前記スリーブ３１の固定部３１１１の凹槽３１１２にオーバーフローされて接着面積を向上するはため、前記スリーブ３１の固定部３１１１と前記ベース１０の位置決め部１２との固定をより緊密にする。
【００１８】
前記遠心ファン３０が動作する時、外部の空気は前記ベース１０の吸気孔１３から前記収容空間内に吸入され、前記吸入された空気は、前記遠心ファン３０が産生した気流によって前記開口４１へ流れて行って前記開口４１に配置されているヒートシンクと熱交換を行ってから、前記ベース１０の通気孔１１から前記電子装置１００の殻体の外部に排出される。
【００１９】
本発明の電子装置１００において、前記遠心ファン３０のスリーブ３１は前記電子装置１００のベース１０に直接に固定され、従来の遠心ファンに比べて、底板を省略するので、前記遠心ファン３０の前記電子装置１００での占有厚さが薄い。従って、前記電子装置１００の薄型化へ発展に有利である。
【００２０】
以上、本発明の好適な実施形態について詳細に説明したが、本発明は前記実施形態に限定されるものではなく、本発明の範囲内で種々の変形又は修正が可能であり、該変形又は修正も又、本発明の特許請求の範囲内に含まれるものであることは、いうまでもない。
【符号の説明】
【００２１】
１０      ベース
１１      通気孔
１２      位置決め部
１３      吸気孔
１４      収容槽
１５      凸環
２０      蓋体
３０      遠心ファン
３１      スリーブ
３２      軸受け
３３      ステーター
３４      インペラ
３５      回路基板
４０      側壁
４１      開口
１００    電子装置
１４１    環形凹部
１４２    ストリップ凹部
３１１    板体
３１２    環状壁
３１３    収容孔
３２１    軸孔
３４１    ハブ
３４２    ブレード
３４３    回転軸
３５１    環状部
３５２    ストリップ部
３１１１  固定部
３１１２  凹槽
【図１】
2011127589.tif 000003
【図２】
2011127589.tif 000004
【図３】
2011127589.tif 000005
【図４】
2011127589.tif 000006